(57)【要約】【課題】使用者の腕に装着したまま、より単純な操作で、より簡単に、より短時間に、使用者の腕の動きに合うように、長さを調整する。【解決手段】腕時計バンドは、使用者の手首に装着するためのバンド本体に設けられている、使用者に操作されて、バンド本体の長さを変えるための紐の部分のうち繰り出されている部分の長さを調整して維持する長さ調整維持部と、バンド本体に設けられている、紐の繰り出されている部分の長さに応じて伸縮する伸縮部と、バンド本体に伸ばす方向の力が加えられた場合、伸びて力を吸収する力吸収部とを含む。【選択図】図３
2020110394.tif 000002
【特許請求の範囲】
【請求項１】
使用者の手首に装着するためのバンド本体に設けられている、前記使用者に操作されて、前記バンド本体の長さを変えるための紐の部分のうち繰り出されている部分の長さを調整して維持する長さ調整維持部と、
前記バンド本体に設けられている、前記紐の繰り出されている前記部分の長さに応じて伸縮する伸縮部と、
前記バンド本体に伸ばす方向の力が加えられた場合、伸びて力を吸収する力吸収部と
を含む腕時計バンド。
【請求項２】
請求項１に記載の腕時計バンドにおいて、
前記長さ調整維持部は、前記バンド本体の外面に対して直交する軸を中心に回転する巻取り機構により、前記紐を巻き取るか繰り出すことで、前記紐の繰り出されている前記部分の長さを調整する
腕時計バンド。
【請求項３】
請求項１に記載の腕時計バンドにおいて、
前記長さ調整維持部は、前記紐の繰り出されている前記部分であって、端部が前記バンド本体に固定されている前記部分の長さを調整して維持し、
前記伸縮部は、前記長さ調整維持部から前記端部までの前記紐の前記部分の長さに応じて伸縮する
腕時計バンド。
【請求項４】
請求項１に記載の腕時計バンドにおいて、
前記長さ調整維持部は、前記紐の繰り出されている前記部分であって、折り返されている端部が前記バンド本体に摺動自在に止められているループ状の前記部分の長さを調整して維持し、
前記伸縮部は、前記長さ調整維持部から折り返されている前記端部までの前記紐の前記部分の長さに応じて伸縮する
腕時計バンド。
【請求項５】
請求項１に記載の腕時計バンドにおいて、
前記伸縮部は、前記バンド本体の一方の部分が、前記バンド本体の他方の部分であって、２枚重ねに形成されている部分の間に出入りすることにより、伸縮する
腕時計バンド。
【請求項６】
請求項５に記載の腕時計バンドにおいて、
前記紐の繰り出されている前記部分は、前記バンド本体の他方の部分であって、２枚重ねに形成されている部分の間を通り、
前記紐の繰り出されている前記部分の端部は、前記バンド本体の一方の部分に固定されている
腕時計バンド。
【請求項７】
請求項５に記載の腕時計バンドにおいて、
前記紐の繰り出されている部分であって、ループ状とされている前記部分が、前記バンド本体の他方の部分であって、２枚重ねに形成されている部分の間を通り、
前記紐の繰り出されている部分であって、ループ状とされている前記部分の折り返されている端部が、前記バンド本体の一方の部分に摺動自在に止められている
腕時計バンド。
【請求項８】
請求項１に記載の腕時計バンドにおいて、
前記力吸収部は、前記バンド本体の端部側に設けられている
腕時計バンド。
【発明の詳細な説明】
【技術分野】
【０００１】
本発明は腕時計バンドに関し、特に、手首に装着したまま長さが変えられる腕時計バンドに関する。
【背景技術】
【０００２】
腕時計を使用者の手首に装着するために、各種の腕時計バンドが使用されている。
【０００３】
従来、腕時計バンドに、伸長ストランドおよびバックルを設け、バックルが、ケースを、または伸長ストランドによって若しくは追加のバックルによって形成された、腕時計バンドから突出する要素を、取り囲むように構成され、バックルが停止表面を含み、停止表面が、締結位置において、ケースの第１の相補的停止表面と、または腕時計バンドの突出要素が備える第２の相補的停止表面と協働するよう構成されるものもある。（例えば、特許文献１参照）。
【先行技術文献】
【特許文献】
【０００４】
【特許文献１】特開２０１６−１５２９０８号公報
【発明の概要】
【発明が解決しようとする課題】
【０００５】
しかしながら、腕時計バンドの長さを調整する場合には、腕から腕時計バンドを取り外して調整するか、または、腕に腕時計バンドを取り付けたまま、遊革および定革から６時側につけるバンドを抜いて、さらに、尾錠のつく棒を子穴から抜いて、異なる子穴につく棒を挿入して、６時側につけるバンドを遊革および定革に再度挿入するという面倒な操作が必要であった。
【０００６】
本発明は、このような状況に鑑みてなされたものであり、使用者の腕に装着したまま、より単純な操作で、より簡単に、より短時間に、使用者の腕の動きに合うように、長さを調整できるようにするものである。
【課題を解決するための手段】
【０００７】
本発明の一側面の腕時計バンドは、使用者の手首に装着するためのバンド本体に設けられている、使用者に操作されて、バンド本体の長さを変えるための紐の部分のうち繰り出されている部分の長さを調整して維持する長さ調整維持部と、バンド本体に設けられている、紐の繰り出されている部分の長さに応じて伸縮する伸縮部と、バンド本体に伸ばす方向の力が加えられた場合、伸びて力を吸収する力吸収部とを含む。
【０００８】
バンド本体に設けられている長さ調整維持部を操作して、紐の繰り出されている部分の長さを調整するだけで、紐の繰り出されている部分の長さに応じて伸縮部が伸縮してバンド本体の長さが変わるので、使用者の腕に装着したまま、より単純な操作で、より簡単に、より短時間に、長さを調整できる。力吸収部が、バンド本体に伸ばす方向の力が加えられた場合、伸びて力を吸収するので、より簡単に、使用者の腕の動きに合うように、長さを調整できる。このように、使用者の腕に装着したまま、より単純な操作で、より簡単に、より短時間に、使用者の腕の動きに合うように、長さを調整できる。
【０００９】
長さ調整維持部には、バンド本体の外面に対して直交する軸を中心に回転する巻取り機構により、紐を巻き取るか繰り出すことで、紐の繰り出されている部分の長さを調整させるようにすることができる。
【００１０】
長さ調整維持部が、紐の繰り出されている部分であって、端部がバンド本体に固定されている部分の長さを調整して維持し、伸縮部が、長さ調整維持部から紐の端部までの紐の部分の長さに応じて伸縮するようにできる。
【００１１】
長さ調整維持部が、紐の繰り出されている部分であって、折り返されている端部がバンド本体に摺動自在に止められているループ状の部分の長さを調整して維持し、伸縮部が、長さ調整維持部から折り返されている端部までの紐の部分の長さに応じて伸縮するようにできる。
【００１２】
伸縮部を、バンド本体の一方の部分が、バンド本体の他方の部分であって、２枚重ねに形成されている部分の間に出入りすることにより、伸縮するようにできる。
【００１３】
紐の繰り出されている部分を、バンド本体の他方の部分であって、２枚重ねに形成されている部分の間に通し、紐の繰り出されている部分の端部を、バンド本体の一方の部分に固定することができる。
【００１４】
紐の繰り出されている部分であって、ループ状とされている部分を、バンド本体の他方の部分であって、２枚重ねに形成されている部分の間に通し、紐の繰り出されている部分であって、ループ状とされている部分の折り返されている端部を、バンド本体の一方の部分に摺動自在に止めることができる。
【００１５】
力吸収部を、バンド本体の端部側に設けることができる。
【発明の効果】
【００１６】
以上のように、本発明によれば、使用者の腕に装着したまま、より単純な操作で、より簡単に、より短時間に、使用者の腕の動きに合うように、長さを調整できるようになる。
【図面の簡単な説明】
【００１７】
【図１】腕時計バンド１１の構成を示す斜視図である。
【図２】腕時計バンド１１の構成を示す斜視図である。
【図３】腕時計バンド１１の構成を示す上面図である。
【図４】腕時計バンド１１の構成を示す正面図である。
【図５】ＡＡ‘線で示される腕時計バンド１１の断面の形状を示す断面図である。
【図６】腕時計バンド１１の動作を説明する図である。
【図７】腕時計バンド１１１の構成を示す上面図である。
【図８】腕時計バンド１１１の構成を示す正面図である。
【図９】ＢＢ‘線で示される腕時計バンド１１１の断面の形状を示す断面図である。
【図１０】腕時計バンド１１１の動作を説明する図である。
【図１１】長さ調整維持部１３２の構成の例を説明する図である。
【発明を実施するための形態】
【００１８】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の一側面の腕時計バンドは、使用者の手首に装着するためのバンド本体に設けられている、使用者に操作されて、バンド本体の長さを変えるための紐の部分のうち繰り出されている部分の長さを調整して維持する長さ調整維持部（例えば、図３の長さ調整維持部３２）と、バンド本体に設けられている、紐の繰り出されている部分の長さに応じて伸縮する伸縮部（例えば、図３の伸縮部５１−１および５１−２）と、バンド本体に伸ばす方向の力が加えられた場合、伸びて力を吸収する力吸収部（例えば、図３のバンド部４３−１および４３−２）とを含む。
【００２０】
以下、図１乃至図１１を参照して、本発明の実施の形態を説明する。
【００２１】
まず、図１および図２を参照して、本発明の一実施の形態の腕時計バンド１１の構成の概要を説明する。図１は、時計に装着されている腕時計バンド１１の腕時計バンド１１側から見た斜視図である。図２は、時計に装着されている腕時計バンド１１の時計側から見た斜視図である。
【００２２】
腕時計バンド１１は、計時して時刻を示す時計本体１２に装着される。腕時計バンド１１は、時計本体１２と共に、輪状になり、使用者の手首に装着される。
【００２３】
腕時計バンド１１は、バンド本体３１および長さ調整維持部３２を含む。バンド本体３１は、帯状に形成されている。バンド本体３１は、ゴムやプラスチックなどの合成樹脂、編み物や織物などの布、繊維と合成樹脂とを複合させた複合素材、皮革または金属などの素材またはこれらの組み合わせにより形成されている。バンド本体３１の端部は、ばね棒により時計本体１２のかんに接続される。
【００２４】
長さ調整維持部３２は、使用者による操作に応じて、バンド本体３１の長さを調整する。長さ調整維持部３２は、調整された長さにバンド本体３１の長さを維持する。
【００２５】
長さ調整維持部３２は、プラスチックなどの合成樹脂や複合材料などにより形成されている。例えば、長さ調整維持部３２は、ダイヤル状に形成されている部分が使用者に回されることにより、バンド本体３１の長さを調整する。より具体的には、例えば、長さ調整維持部３２は、ダイヤル状に形成されている部分が長さ調整維持部３２に向かって時計回りに使用者に回されることにより、バンド本体３１の長さを短くするように調整する。また、例えば、長さ調整維持部３２は、ダイヤル状に形成されている部分が長さ調整維持部３２に向かって反時計回りに使用者に回されることにより、バンド本体３１の長さを長くするように調整する。
【００２６】
腕時計バンド１１は、使用者の手首に装着しようとするとき、使用者の操作により長くされる。使用者は、時計本体１２が装着されて輪状になっている腕時計バンド１１に、自分の手から手首を通す。そして、使用者の手首が通された状態で、腕時計バンド１１は、使用者の操作により短くされて、使用者の手首に留められる。
【００２７】
次に、腕時計バンド１１の構成の詳細について説明する。図３は、時計本体１２の一方のかんに接続して平らに伸ばした状態の腕時計バンド１１を上側から見た上面図である。図４は、時計本体１２の一方のかんに接続して平らに伸ばした状態の腕時計バンド１１を正面から見た正面図である。図５は、図３中のＡＡ‘線で示される腕時計バンド１１の断面の形状を示す断面図である。
【００２８】
なお、以下、前後の方向をＹ軸で図示し、上下の方向をＺ軸で図示し、左右の方向をＸ軸で図示する。また、以下、Ｘ軸方向のうち、図３中の左側を単に左側と称し、Ｘ軸方向のうち、図３中の右側を単に右側と称する。さらに、以下、Ｙ軸方向のうち、図３中の下側を単に前側と称し、Ｙ軸方向のうち、図３中の上側を単に後側と称する。さらにまた、以下、Ｚ軸方向のうち、図４中の上側を単に上側と称し、Ｚ軸方向のうち、図４中の下側を単に下側と称する。また、Ｚ軸方向を、単に上下方向とも称し、Ｘ軸方向を、単に左右方向とも称し、Y軸方向を、単に前後方向とも称する。さらに、Ｘ軸およびＹ軸に平行な面に沿う方向を単に水平方向または横方向とも称する。図６乃至図１０においても、同様である。
【００２９】
腕時計バンド１１のバンド本体３１は、バンド部４１、バンド部４２−１および４２−２並びにバンド部４３−１および４３−２を含む。バンド部４１、バンド部４２−１および４２−２並びにバンド部４３−１および４３−２は、それぞれ、バンド本体３１の部分であると言える。バンド部４１、バンド部４２−１および４２−２並びにバンド部４３−１および４３−２は、それぞれ、帯状に形成されている。バンド部４１、バンド部４２−１および４２−２並びにバンド部４３−１および４３−２は、それぞれ、ゴムやプラスチックなどの合成樹脂、編み物や織物などの布、繊維と合成樹脂とを複合させた複合素材、皮革または金属などの素材またはこれらの組み合わせにより形成されている。
【００３０】
バンド部４１並びにバンド部４２−１および４２−２は、伸びの少ない素材で形成されている。バンド部４３−１および４３−２は、弾性を有して、力が加えられると伸びる素材で形成されている。
【００３１】
バンド部４１には、使用者の手首に装着された場合に、使用者の手首に接する面と対向する面側に長さ調整維持部３２が固定されている。
【００３２】
長さ調整維持部３２は、繰り出されている紐６１−１および紐６１−２の長さを調整して維持する。言い換えると、長さ調整維持部３２は、紐６１−１および紐６１−２の部分のうち、長さ調整維持部３２から外に出ている部分の長さを調整して維持する。すなわち、長さ調整維持部３２は、紐６１−１および紐６１−２の部分のうち、長さ調整維持部３２から繰り出されている部分の長さを調整して維持する。長さ調整維持部３２は、左側に、紐６１−１を繰り入れるかまたは繰り出し、右側に、紐６１−２を繰り入れるかまたは繰り出す。長さ調整維持部３２は、バンド本体３１の外面に対して直交する軸を中心に回転する巻取り機構により、紐６１−１および紐６１−２を巻き取るか繰り出すことで、紐６１−１および紐６１−２の繰り出されている部分の長さを調整する。例えば、長さ調整維持部３２は、使用者により、ダイヤル状に形成されている部分が図３において時計回りに回されると、紐６１−１および紐６１−２を巻き取り、紐６１−１および紐６１−２の繰り出されている部分の長さを短くする。また、例えば、長さ調整維持部３２は、使用者により、ダイヤル状に形成されている部分が図３において反時計回りに回されると、紐６１−１および紐６１−２を繰り出して、紐６１−１および紐６１−２の繰り出されている部分の長さを長くする。
【００３３】
紐６１−１および紐６１−２は、ナイロンまたはポリエチレンなどの樹脂からなるか、ステンレス鋼などの金属、若しくは絹や木綿などの天然繊維またはこれらの組み合わせからなる。紐６１−１および紐６１−２は、単線でもより線でもよい。また、紐６１−１および紐６１−２は、丸紐または平紐でもよい。紐６１−１および紐６１−２の太さは、バンド部４２−１および４２−２をバンド部４１に引き付けて保持できる強度が得られればいずれでもよい。
【００３４】
例えば、紐６１−１および紐６１−２の長さは、同じとされている。また、紐６１−１および紐６１−２の繰り出されている部分の長さは、同じとされている。
【００３５】
紐６１−１の左端部（図３中の左側）は、バンド本体３１のバンド部４２−１に固定されている。紐６１−２の右端部（図３中の右側）は、バンド本体３１のバンド部４２−２に固定されている。
【００３６】
バンド部４１は、２枚重ねに形成されている。バンド部４１の長手方向の端部は、閉じられている。すなわち、バンド部４１の後側の端部（図３中の上側）および前側の端部（図３中の下側）は、縫い付け、または溶着などにより、閉じられている。バンド部４１の左端および右端は、開かれている。
【００３７】
なお、バンド部４１は、右端および左端が開けばよく、３枚重ねまたは４枚重ねなど、２枚以上の素材を重ねて形成することができる。
【００３８】
図５に示されるように、バンド部４２−１の右側の端部（図３中の右側）は、２枚重ねのバンド部４１の左端の内側に摺動自在に挿入されている。バンド部４２−１の左側の端部は、バンド部４３−１の右側の端部に、縫い付け、または溶着などにより、固定されている。
【００３９】
バンド部４２−２の左側の端部は、２枚重ねのバンド部４１の右端の内側に摺動自在に挿入されている。バンド部４２−２の右側の端部は、バンド部４３−２の左側の端部に、縫い付け、または溶着などにより、固定されている。
【００４０】
バンド部４２−１および４２−２は、それぞれ、帯状に形成されていればよく、１枚の素材で形成しても、２枚以上の素材を重ねて形成してもよい。
【００４１】
例えば、バンド部４１の後側の端部（図３中の上側）の内側および前側の端部（図３中の下側）の内側のそれぞれには、弾性を有する金属またはプラスチックなどで形成されている湾曲自在のレールが設けられている。例えば、レールの断面は、コの字形（チャネル形状）とされている。バンド部４２−１の後側の端部および前側の端部のそれぞれの右側の角には、広がる付勢力を与えるバネを内蔵した棒状のスプリングバーが設けられている。また、バンド部４２−２の後側の端部および前側の端部のそれぞれの左側の角には、広がる付勢力を与えるバネを内蔵した棒状のスプリングバーが設けられている。バンド部４２−１のスプリングバーおよびバンド部４２−２のスプリングバーがバンド部４１の２枚重ねの内側のレールに嵌ることで、バンド部４１に対してバンド部４２−１およびバンド部４２−２が滑りやすくなり、バンド部４２−１およびバンド部４２−２が、バンド部４１に摺動自在に挿入される。
【００４２】
伸縮部５１−１は、バンド部４１の左端側の部分とバンド部４２−１の右端部側の部分とからなる。伸縮部５１−１は、バンド部４２−１の右端部側の部分が２枚重ねのバンド部４１の左端側の部分の内側に挿抜されることにより、長さ調整維持部３２から繰り出されている紐６１−１の部分の長さに応じて伸縮する。
【００４３】
伸縮部５１−２は、バンド部４１の右端側の部分とバンド部４２−２の左端部側の部分とからなる。伸縮部５１−２は、バンド部４２−２の左端部側の部分が２枚重ねのバンド部４１の右端側の部分の内側に挿抜されることにより、長さ調整維持部３２から繰り出されている紐６１−２の部分の長さに応じて伸縮する。
【００４４】
バンド部４１には、長さ調整維持部３２の左側であって、２枚重ねの上側（図４中の上側）に孔５２−１が開けられている。孔５２−１は、紐６１−１を通すことのできる大きさとされている。また、バンド部４１には、長さ調整維持部３２の右側であって、２枚重ねの上側（図４中の上側）に孔５２−２が開けられている。孔５２−２は、紐６１−２を通すことのできる大きさとされている。
【００４５】
図５に示されるように、長さ調整維持部３２に繰り入れられるかまたは繰り出される紐６１−１は、孔５２−１に通されて、２枚重ねのバンド部４１の内側であって、バンド部４２−１の上側を通される。紐６１−１の左端部（図３中の左側）は、固定具６２−１によって、バンド本体３１のバンド部４２−１の上側に固定される。例えば、固定具６２−１は、紐６１−１の左端部を嵌め合いにより挟んで固定する。例えば、固定具６２−１は、軸に孔が開けられたボルトおよびナットからなり、紐６１−１の左端部が孔に通されたボルトをバンド部４２−１に通してナットに螺合することで固定する。固定具６２−１は、樹脂または金属などから形成されている。
【００４６】
長さ調整維持部３２に繰り入れられるかまたは繰り出される紐６１−２は、孔５２−２に通されて、２枚重ねのバンド部４１の内側であって、バンド部４２−２の上側を通される。紐６１−２の右端部（図３中の右側）は、固定具６２−２によって、バンド本体３１のバンド部４２−２の上側に固定される。例えば、固定具６２−２は、紐６１−２の右端部を嵌め合いにより挟んで固定する。例えば、固定具６２−２は、軸に孔が開けられたボルトおよびナットからなり、紐６１−２の右端部が孔に通されたボルトをバンド部４２−２に通してナットに螺合することで固定する。固定具６２−２は、樹脂または金属などから形成されている。
【００４７】
バンド部４３−１および４３−２は、それぞれ、バンド本体３１に伸ばす方向の力が加えられた場合、伸びて力を吸収する。例えば、バンド部４３−１および４３−２は、綿糸が巻き付けられたゴム糸を編んだコットンラバーなど、弾性を有し、伸びて力を吸収する素材で形成されている。バンド部４３−１の左側の端部には、ばね棒７１を通すためのかん穴５３−１が設けられている。バンド部４３−２の右側の端部には、ばね棒７１を通すためのかん穴５３−２が設けられている。ばね棒７１を時計本体１２のかんに嵌めることで、腕時計バンド１１は、時計本体１２に接続される。
【００４８】
例えば、時計本体１２に接続されている腕時計バンド１１を手首に装着している使用者が、手首を屈曲若しくは伸展または外転若しくは内転させた場合、時計本体１２と共に輪状になっている腕時計バンド１１の内径が使用者の手首で広げられるので、バンド本体３１に伸ばす方向の力が加えられる。バンド部４３−１および４３−２は、使用者の手首の動きにより生じる、バンド本体３１に伸ばす方向の力を吸収する。このようにすることで、腕時計バンド１１の破損を防止し、使用者の手首に無用な力が加わることを防止できる。
【００４９】
次に、図６を参照して、腕時計バンド１１の動作を説明する。図６（Ａ）に示されるように、伸縮部５１−１および５１−２におけるバンド部４１並びにバンド部４２−１および４２−１の重なりが短く、バンド本体３１の長さが比較的長い場合、長さ調整維持部３２のダイヤル状に形成されている部分を図６中において時計回りに回すと、長さ調整維持部３２は、紐６１−１および紐６１−２を巻き取り、紐６１−１および紐６１−２の部分のうち、長さ調整維持部３２から繰り出されている部分の長さを短くし、紐６１−１および紐６１−２の部分のうち、長さ調整維持部３２から繰り出されている部分の長さを維持する。
【００５０】
すると、図６（Ｂ）に示されるように、バンド部４２−１および４２−１がバンド部４１側に引き寄せられて、バンド部４２−１および４２−１が２枚重ねに形成されているバンド部４１の中に引き込まれる。これにより、伸縮部５１−１および５１−２におけるバンド部４１並びにバンド部４２−１および４２−１の重なりがより長くなり、バンド本体３１の長さが、図６（Ａ）に示される場合に比較して、より短くなる。
【００５１】
図６（Ｂ）に示される状態から、長さ調整維持部３２のダイヤル状に形成されている部分を図６中において時計回りにさらに回すと、長さ調整維持部３２は、紐６１−１および紐６１−２をさらに巻き取り、紐６１−１および紐６１−２の部分のうち、長さ調整維持部３２から繰り出されている部分の長さをさらに短くし、紐６１−１および紐６１−２の部分のうち、長さ調整維持部３２から繰り出されている部分の長さを維持する。これにより、図６（Ｃ）に示されるように、バンド部４２−１および４２−１がバンド部４１側にさらに引き寄せられて、バンド部４２−１および４２−１が２枚重ねに形成されているバンド部４１の中にさらに引き込まれる。従って、伸縮部５１−１および５１−２におけるバンド部４１並びにバンド部４２−１および４２−１の重なりがさらに長くなり、バンド本体３１の長さが、図６（Ｂ）に示される場合に比較して、より短くなる。
【００５２】
逆に、長さ調整維持部３２のダイヤル状に形成されている部分を図６中において反時計回りに回すと、長さ調整維持部３２は、紐６１−１および紐６１−２を繰り出す。紐６１−１および紐６１−２の部分のうち、長さ調整維持部３２から繰り出されている部分の長さはより長くなる。長さ調整維持部３２は、紐６１−１および紐６１−２の部分のうち繰り出されている部分の長さを維持する。使用者が、手首を屈曲若しくは伸展または外転若しくは内転させるなどすると、時計本体１２と共に輪状になっている腕時計バンド１１の内径が広げられるので、バンド本体３１に伸ばす方向の力が加えられ、紐６１−１および紐６１−２の部分のうち、繰り出されている部分が張るまで、バンド本体３１の長さが、長くなる。
【００５３】
このように、腕時計バンド１１によれば、使用者の腕に装着したまま、より単純な操作で、より簡単に、より短時間に、長さを調整できる。また、バンド部４３−１および４３−２が、バンド本体に伸ばす方向の力が加えられた場合、伸びて力を吸収するので、より簡単に、使用者の腕の動きに合うように、長さを調整できる。
【００５４】
また、腕時計バンド１１によれば、長さ調整維持部３２が、左端部がバンド部４２−１に固定されている紐６１−１と右端部がバンド部４２−２に固定されている紐６１−２とを繰り入れるようにしたので、バンド本体３１を短くする場合、バンド本体３１により均等に力をかけて、バンド部４２−１および４２−１をバンド部４１側に引き寄せることができる。
【００５５】
次に、本発明の他の実施の形態について説明する。図７は、本発明の他の実施の形態の腕時計バンド１１１を時計本体１２の一方のかんに接続して平らに伸ばした状態で上側から見た上面図である。図８は、腕時計バンド１１１を時計本体１２の一方のかんに接続して平らに伸ばした状態で正面から見た正面図である。図９は、図７中のＢＢ‘線で示される腕時計バンド１１１の断面の形状を示す断面図である。
【００５６】
腕時計バンド１１１のバンド本体１３１は、バンド部１４１、バンド部１４２並びにバンド部１４３−１および１４３−２を含む。バンド部１４１、バンド部１４２並びにバンド部１４３−１および１４３−２は、それぞれ、バンド本体１３１の部分であると言える。バンド部１４１、バンド部１４２並びにバンド部１４３−１および１４３−２は、それぞれ、帯状に形成されている。バンド部１４１、バンド部１４２並びにバンド部１４３−１および１４３−２は、それぞれ、ゴムやプラスチックなどの合成樹脂、編み物や織物などの布、繊維と合成樹脂とを複合させた複合素材、皮革または金属などの素材またはこれらの組み合わせにより形成されている。
【００５７】
バンド部１４１およびバンド部１４２は、伸びの少ない素材で形成されている。バンド部１４３−１および１４３−２は、弾性を有し、力が加えられると伸びる素材で形成されている。
【００５８】
バンド部１４１には、使用者の手首に装着された場合に、使用者の手首に接する面と対向する面側に長さ調整維持部１３２が固定されている。
【００５９】
長さ調整維持部１３２は、繰り出されているループ状（輪状）の紐１６１の長さを調整して維持する。言い換えると、長さ調整維持部１３２は、紐１６１の部分のうち、長さ調整維持部１３２からループ状に外に出ている部分の長さを調整して維持する。すなわち、長さ調整維持部１３２は、紐１６１の部分のうち、長さ調整維持部１３２からループ状に繰り出されている部分の長さを調整して維持する。長さ調整維持部１３２は、左側に、ループ状の紐１６１を繰り入れるかまたは繰り出す。長さ調整維持部１３２は、バンド本体１３１の外面に対して直交する軸を中心に回転する巻取り機構により、紐１６１を巻き取るか繰り出すことで、紐１６１の繰り出されている部分の長さを調整する。例えば、長さ調整維持部１３２は、使用者により、ダイヤル状に形成されている部分が図７において時計回りに回されると、紐１６１を巻き取り、紐１６１の部分であって、ループ状に繰り出されている部分の長さを短くする。また、例えば、長さ調整維持部１３２は、使用者により、ダイヤル状に形成されている部分が図７において反時計回りに回されると、紐１６１を繰り出して、紐１６１の部分であって、ループ状に繰り出されている部分の長さを長くする。
【００６０】
紐１６１の部分であって、ループ状に繰り出されている部分の左端部（図７中の左側）は、折り返されている。紐１６１の左端部は、バンド本体１３１のバンド部１４２に摺動自在に止められている。
【００６１】
紐１６１は、ナイロンまたはポリエチレンなどの樹脂からなるか、ステンレス鋼などの金属、若しくは絹や木綿などの天然繊維またはこれらの組み合わせからなる。紐１６１は、単線でもより線でもよい。また、紐１６１は、丸紐または平紐でもよい。紐１６１の太さは、バンド部１４２をバンド部１４１に引き付けて保持できる強度が得られればいずれでもよい。
【００６２】
バンド部１４１は、２枚重ねに形成されている。バンド部１４１の長手方向の端部は、閉じられている。すなわち、バンド部１４１の後側の端部（図７中の上側）および前側の端部（図７中の下側）は、縫い付け、または溶着などにより、閉じられている。バンド部１４１の左端は開かれている。バンド部１４１の右側の端部は、バンド部１４３−２の左側の端部に、縫い付け、または溶着などにより、固定されている。
【００６３】
なお、バンド部１４１は、左端が開けばよく、３枚重ねまたは４枚重ねなど、２枚以上の素材を重ねて形成することができる。
【００６４】
図９に示されるように、バンド部１４２の右側の端部は、２枚重ねのバンド部１４１の左端の内側に摺動自在に挿入されている。バンド部１４２の左側の端部（図７中の左側）は、バンド部１４３−１の右側の端部に、縫い付け、または溶着などにより、固定されている。
【００６５】
バンド部１４２は、帯状に形成されていればよく、１枚の素材で形成しても、２枚以上の素材を重ねて形成してもよい。
【００６６】
例えば、バンド部１４１の後側の端部（図７中の上側の端部）の内側および前側の端部（図７中の下側の端部）の内側のそれぞれには、弾性を有する金属またはプラスチックなどで形成されている湾曲自在のレールが設けられている。例えば、レールの断面は、コの字形（チャネル形状）とされている。バンド部１４２の後側の端部および前側の端部のそれぞれの右側の角には、広がる付勢力を与えるバネを内蔵した棒状のスプリングバーが設けられている。バンド部１４２のスプリングバーがバンド部１４１の２枚重ねの内側のレールに嵌ることで、バンド部１４１に対してバンド部１４２が滑りやすくなり、バンド部１４２が、バンド部１４１に摺動自在に挿入される。
【００６７】
伸縮部１５１は、バンド部１４１の左端側の部分とバンド部１４２の右端部側の部分とからなる。伸縮部１５１は、バンド部１４２の右端部側の部分が２枚重ねのバンド部１４１の左端側の部分の内側に挿抜されることにより、長さ調整維持部１３２から繰り出されている紐１６１の部分の長さに応じて伸縮する。
【００６８】
バンド部１４１には、長さ調整維持部１３２からの距離が等しくなるように、長さ調整維持部１３２の左側であって、２枚重ねの上側（図８中の上側）に、孔１５２−１および１５２−２が開けられている。孔１５２−１および１５２−２は、紐１６１を通すことのできる大きさとされている。
【００６９】
ループ状の紐１６１の左端部（図７中の左側）は、折り返されて、ガイド１６２によって、バンド本体１３１のバンド部１４２の上側に摺動自在に止められている。ガイド１６２は、バンド本体１３１のバンド部１４２に固定されている。例えば、ガイド１６２は、半円形状に形成されている。半円状のガイド１６２の周には、周に沿うように１つの溝が形成されている。ループ状の紐１６１の折り返されている左端部は、半円状のガイド１６２の周の溝に嵌められて、ガイド１６２の周の溝に沿って滑ることで、バンド本体１３１のバンド部１４２に摺動自在に止められている。ガイド１６２は、樹脂または金属などから形成されている。
【００７０】
図９に示されるように、紐１６１の部分のうち、長さ調整維持部１３２からループ状に繰り出されている部分は、ループ状の部分のうちのガイド１６２に伸びる一方が孔１５２−１に通されて、ループ状の部分のうちのガイド１６２に伸びる他方が孔１５２−２に通されて、２枚重ねのバンド部１４１の内側であって、バンド部１４２−１の上側を通される。
【００７１】
バンド部１４３−１および１４３−２は、それぞれ、バンド本体１３１に伸ばす方向の力が加えられた場合、伸びて力を吸収する。例えば、バンド部１４３−１および１４３−２は、綿糸が巻き付けられたゴム糸を編んだコットンラバーなど、弾性を有し、伸びて力を吸収する素材で形成されている。バンド部１４３−１の左側の端部には、ばね棒７１を通すためのかん穴１５３−１が設けられている。バンド部１４３−２の右側の端部には、ばね棒７１を通すためのかん穴１５３−２が設けられている。ばね棒７１を時計本体１２のかんに嵌めることで、腕時計バンド１１１は、時計本体１２に接続される。
【００７２】
例えば、時計本体１２に接続されている腕時計バンド１１１を手首に装着している使用者が、手首を屈曲若しくは伸展または外転若しくは内転させた場合、時計本体１２と共に輪状になっている腕時計バンド１１１の内径が使用者の手首で広げられるので、バンド本体１３１に伸ばす方向の力が加えられる。バンド部１４３−１および１４３−２は、使用者の手首の動きにより生じる、バンド本体１３１に伸ばす方向の力を吸収する。このようにすることで、腕時計バンド１１１の破損を防止し、使用者の手首に無用な力が加わることを防止できる。
【００７３】
次に、図１０を参照して、腕時計バンド１１１の動作を説明する。図１０（Ａ）に示されるように、伸縮部１５１におけるバンド部１４１およびバンド部１４２の重なりが短く、バンド本体１３１の長さが比較的長い場合、長さ調整維持部１３２のダイヤル状に形成されている部分を図１０中において時計回りに回すと、長さ調整維持部１３２は、紐１６１の部分のうち、長さ調整維持部１３２から繰り出されているループ状の部分を巻き取り、紐１６１の部分のうち、長さ調整維持部１３２から繰り出されているループ状の部分の長さを短くし、紐１６１の部分のうち、長さ調整維持部１３２から繰り出されているループ状の部分の長さを維持する。
【００７４】
すると、図１０（Ｂ）に示されるように、ループ状の紐１６１の左側端部がガイド１６２を滑り、バンド部１４２がバンド部１４１側に引き寄せられて、バンド部１４２が２枚重ねに形成されているバンド部１４１の中に引き込まれる。これにより、伸縮部１５１におけるバンド部１４１およびバンド部１４２の重なりがより長くなり、バンド本体１３１の長さが、図１０（Ａ）に示される場合に比較して、より短くなる。
【００７５】
図１０（Ｂ）に示される状態から、長さ調整維持部１３２のダイヤル状に形成されている部分を図１０中において時計回りにさらに回すと、長さ調整維持部１３２は、紐１６１の部分のうち、長さ調整維持部１３２から繰り出されているループ状の部分をさらに巻き取り、紐１６１の部分のうち、長さ調整維持部１３２から繰り出されているループ状の部分の長さをさらに短くし、紐１６１の部分のうち、長さ調整維持部１３２から繰り出されているループ状の部分の長さを維持する。これにより、図１０（Ｃ）に示されるように、ループ状の部分の折り返されている左側端部がガイド１６２を滑り、バンド部１４２がバンド部１４１側にさらに引き寄せられて、バンド部１４２が２枚重ねに形成されているバンド部１４１の中にさらに引き込まれる。従って、伸縮部１５１におけるバンド部１４１およびバンド部１４２の重なりがさらに長くなり、バンド本体１３１の長さが、図１０（Ｂ）に示される場合に比較して、より短くなる。
【００７６】
逆に、長さ調整維持部１３２のダイヤル状に形成されている部分を図１０中において反時計回りに回すと、長さ調整維持部１３２は、長さ調整維持部１３２から、紐１６１のループ状の部分を繰り出す。紐１６１の部分のうち、長さ調整維持部１３２から繰り出されているループ状の部分の長さはより長くなる。長さ調整維持部１３２は、紐１６１の部分のうち、繰り出されているループ状の部分の長さを維持する。使用者が、手首を屈曲若しくは伸展または外転若しくは内転させるなどすると、時計本体１２と共に輪状になっている腕時計バンド１１１の内径が広げられるので、バンド本体１３１に伸ばす方向の力が加えられ、ループ状の紐１６１がガイド１６２を滑り、紐１６１の部分のうち、繰り出されているループ状の部分が張るまで、バンド本体１３１の長さが、長くなる。
【００７７】
なお、長さ調整維持部１３２は、紐１６１の部分のうち、長さ調整維持部１３２からループ状に繰り出されている部分の一方を繰り入れるかまたは繰り出すようにしても、紐１６１の部分のうち、長さ調整維持部１３２からループ状に繰り出されている部分の一方および他方を繰り入れるかまたは繰り出すようにしてもよい。
【００７８】
このように、腕時計バンド１１１によれば、使用者の腕に装着したまま、より単純な操作で、より簡単に、より短時間に、長さを調整できる。また、バンド部１４３−１および１４３−２が、バンド本体に伸ばす方向の力が加えられた場合、伸びて力を吸収するので、より簡単に、使用者の腕の動きに合うように、長さを調整できる。
【００７９】
また、腕時計バンド１１１によれば、バンド部１４２がバンド部１４１の中に引き込まれるようにしたので、腕時計バンド１１に比較して、より簡単な構成とすることができる。
【００８０】
次に、図１１を参照して、長さ調整維持部１３２の構成の例について説明する。長さ調整維持部１３２は、ベース２０１、ダイヤル２０２、ストッパー２０３およびスプール２０４を含み構成される。ベース２０１、ダイヤル２０２、ストッパー２０３およびスプール２０４は、バンド本体１３１の外面に対して直交する軸を中心に回転する巻取り機構を構成する。
【００８１】
ベース２０１は、ストッパー２０３およびスプール２０４を内蔵し、バンド本体１３１のバンド部１４１に接着やねじ止めなどにより固定される。ベース２０１は、概ね円筒形状に形成されている。さらに、ベース２０１は、円筒形状の下側に概ね四角板状のフランジが設けられるように形成されている。ベース２０１のフランジには、紐１６１を通して紐１６１が出入りするための紐通し口が２つ設けられている。
【００８２】
図１１（Ａ）に示されるように、ベース２０１の上側には、ダイヤル２０２が被せられる。ダイヤル２０２は、紐１６１を繰り出すかまたは繰り入れるとき、使用者により回転させられる。ダイヤル２０２は、使用者により回転させられた場合、回転をスプール２０４に伝達する。ダイヤル２０２は、ベース２０１に対して回転可能に、中心部がねじ止めされる。ダイヤル２０２は、ベース２０１の円筒形状の部分を覆う円盤状に形成されている。ダイヤル２０２の外周部分の全周には、滑り止めのため、周期的な上下方向の溝が形成されている。
【００８３】
図１１（Ａ）および（Ｂ）に示されるように、ストッパー２０３は、ベース２０１の円筒形状の部分の内側であって、スプール２０４に被せられるように配置される。ストッパー２０３は、ダイヤル２０２が使用者により回転させられた場合以外に、スプール２０４が回転しないように、スプール２０４の回転を抑える。ストッパー２０３は、概ねリング状に形成されている。ストッパー２０３の外周側の一部には、周に沿って、下向きに突出する突起が形成されている。ストッパー２０３の外周側の突起は、ベース２０１の円筒形状の部分の内側の溝に嵌り込む。これにより、ストッパー２０３は、ベース２０１に対して回転しないように止められる。また、ストッパー２０３の内周側には、複数の上向きの爪が形成されている。ストッパー２０３の上向きの爪が、ダイヤル２０２の裏面に噛み合うことで、ダイヤル２０２およびスプール２０４の回転が抑えられる。
【００８４】
図１１（Ｂ）および（Ｃ）に示されるように、スプール２０４には、紐１６１の端部であって、ループ状の端部に対する他端側の端部の側が巻き取られている。スプール２０４は、周の全体に溝が形成されている円盤状に形成されている。スプール２０４の周の溝に紐１６１が巻き取られる。スプール２０４の周の溝に巻き取られている紐１６１のループ状の部分のうちの一方と他方とが、ベース２０１の紐通し口のそれぞれから、長さ調整維持部１３２の外に取り出される。スプール２０４の上側には、円盤と同軸にギア状に形成されている。スプール２０４の上側のギア状の部分の歯が、ダイヤル２０２の裏面に噛み合うことで、ダイヤル２０２を回転させると、ダイヤル２０２と共にスプール２０４が回転する。
【００８５】
このように、ストッパー２０３の上向きの爪が、ダイヤル２０２の裏面に噛み合うことで、スプール２０４の回転が抑えられるので、長さ調整維持部１３２は、紐１６１の部分のうち、繰り出されている部分の長さを維持する。ダイヤル２０２が、使用者により回転させられると、ストッパー２０３の内周側の爪がダイヤル２０２の裏面から外れるので、ダイヤル２０２の回転と同期してスプール２０４が回転させられる。その結果、スプール２０４に紐１６１が巻き取られるか、または、スプール２０４から紐１６１が繰り出される。
【００８６】
なお、長さ調整維持部３２は、紐通し口の配置が異なることを除き、長さ調整維持部１３２と同様の構成なので、その説明は省略する。
【００８７】
なお、長さ調整維持部３２のダイヤル部分を上向きに引っ張るかまたは下向きに押圧することにより、紐６１−１および紐６１−２の部分のうち、長さ調整維持部３２から繰り出されている部分の長さの維持を解除するようにしてもよい。また、長さ調整維持部３２のダイヤル部分を上向きに引っ張るかまたは下向きに押圧することにより、内蔵されているバネなどの付勢力により、紐６１−１および紐６１−２を巻き取るようにしてもよい。長さ調整維持部１３２も、同様に構成することができる。
【００８８】
さらに、長さ調整維持部３２または長さ調整維持部１３２は、直線的なスライド機構（直動機構）またはリンク機構などにより、紐６１−１および紐６１−２または紐１６１を引き込むかまたは繰り出すことにより、紐６１−１および紐６１−２または紐１６１の部分のうち、繰り出されている部分の長さを調整して維持することができる。
【００８９】
なお、バンド部４２−１および４２−２を２枚重ねにして、バンド部４１がバンド部４２−１および４２−２に出入りするようにしてもよい。同様に、バンド部１４２を２枚重ねにして、バンド部１４１がバンド部１４２に出入りするようにしてもよい。
【００９０】
また、伸縮部５１−１および５１−２は、バンド本体３１の一方の部分が、バンド本体３１の他方の部分であって、２枚重ねに形成されている部分の間に出入りすることにより、伸縮すると説明したが、これに限らず、ゴムやバネなどの弾性体が伸縮するか、または金属製の駒が蛇腹状に接続されるかリンクやバネを介して駒が相互に接続されるなどして、伸縮するものであってもよい。
【００９１】
なお、バンド部４３−１および４３−２またはバンド部１４３−１および１４３−２は、バンド本体３１またはバンド本体１３１の端部側に設けられると説明したがこれに限らず、バンド本体３１またはバンド本体１３１に対して所望の位置に設けることができる。また、バンド部４３−１および４３−２は、いずれか一方を設けるようにしてもよく、同様に、バンド部１４３−１および１４３−２は、いずれか一方を設けるようにしてもよい。さらに、バンド部４３−１および４３−２に加えて、バンド部４３−３（図示せず）またはバンド部４３−４（図示せず）を設けるなど、３つ以上の所望の数のバンド部４３を設けることができる。同様に、バンド部１４３−１および１４３−２に加えて、バンド部１４３−３（図示せず）またはバンド部１４３−４（図示せず）を設けるなど、３つ以上の所望の数のバンド部１４３を設けることができる。
【００９２】
このように、腕時計バンド１１は、長さ調整維持部３２、伸縮部５１−１および５１−２並びにバンド部４３−１および４３−２を含む。長さ調整維持部３２は、使用者の手首に装着するためのバンド本体３１に設けられている。長さ調整維持部３２は、使用者に操作されて、バンド本体３１の長さを変えるための紐６１−１および紐６１−２の部分のうち繰り出されている部分の長さを調整して維持する。伸縮部５１−１および５１−２は、バンド本体３１に設けられている。伸縮部５１−１および５１−２は、紐６１−１および紐６１−２の繰り出されている部分の長さに応じて伸縮する。バンド部４３−１および４３−２は、バンド本体３１に伸ばす方向の力が加えられた場合、伸びて力を吸収する。
【００９３】
バンド本体３１に設けられている長さ調整維持部３２を操作して、紐６１−１および紐６１−２の繰り出されている部分の長さを調整するだけで、紐６１−１および紐６１−２の繰り出されている部分の長さに応じて伸縮部５１−１および５１−２が伸縮してバンド本体３１の長さが変わるので、使用者の腕に装着したまま、より単純な操作で、より簡単に、より短時間に、長さを調整できる。バンド部４３−１および４３−２が、バンド本体３１に伸ばす方向の力が加えられた場合、伸びて力を吸収するので、より簡単に、使用者の腕の動きに合うように、長さを調整できる。このように、腕時計バンド１１においては、使用者の腕に装着したまま、より単純な操作で、より簡単に、より短時間に、使用者の腕の動きに合うように、長さを調整できる。
【００９４】
例えば、光により脈拍を計測する機能を有する時計本体１２を用いる場合、脈拍をより正確に計測するとき、時計本体１２を手首により密着させ、正確な脈拍の計測が必要ないとき、緩めに手首に装着するが、長さ調整維持部３２を操作するだけで、使用者の腕に装着したまま、好みの密着の程度になるように、腕時計バンド１１の長さを調整できる。
【００９５】
また、子穴とつく棒または駒により長さを調整する場合に比較して、より細かく長さを調整することができる。
【００９６】
紐６１−１および紐６１−２または紐１６１の繰り出されている部分の長さに応じてバンド本体３１の長さが変わるので、紐６１−１および紐６１−２の端部または紐１６１の折り返しの部分を止める位置により、バンド本体３１の長さが変わる幅を容易に調整することができる。
【００９７】
使用者の腕に装着したまま、腕時計バンド１１の長さを調整できるので、野外などで使用する場合、手首から時計本体１２と腕時計バンド１１とを取り落としてしまうことがより少なくなる。さらに、腕時計バンド１１の長さを長くして、緩めた場合でも、腕時計バンド１１は、時計本体１２と共に、輪状のままなので、手首から時計本体１２と腕時計バンド１１とを取り落としてしまうことがより少なくなる。
【００９８】
腕時計バンド１１１においても、同様である。
【００９９】
長さ調整維持部３２または長さ調整維持部１３２には、バンド本体の外面に対して直交する軸を中心に回転する巻取り機構により、紐を巻き取るか繰り出すことで、紐６１−１および紐６１−２または紐１６１の繰り出されている部分の長さを調整させるようにすることができる。
【０１００】
長さ調整維持部３２が、紐６１−１および紐６１−２の繰り出されている部分であって、端部がバンド本体３１に固定されている部分の長さを調整して維持し、伸縮部５１−１および５１−２が、長さ調整維持部３２から紐６１−１および紐６１−２の端部までの紐６１−１および紐６１−２の部分の長さに応じて伸縮するようにできる。
【０１０１】
長さ調整維持部１３２が、紐１６１の繰り出されている部分であって、折り返されている端部がバンド本体１３１に摺動自在に止められているループ状の部分の長さを調整して維持し、伸縮部１５１が、長さ調整維持部１３２から折り返されている端部分までの紐１６１の部分の長さに応じて伸縮するようにできる。
【０１０２】
伸縮部５１−１および５１−２を、バンド本体３１の一方の部分であるバンド部４２−１および４２−２が、バンド本体３１の他方の部分であって、２枚重ねに形成されている部分であるバンド部４１の間に出入りすることにより、伸縮するようにできる。
【０１０３】
紐６１−１および紐６１−２の繰り出されている部分を、バンド本体の他方の部分であって、２枚重ねに形成されている部分であるバンド部４１の間に通し、紐６１−１および紐６１−２の繰り出されている部分の端部を、バンド本体３１の一方の部分であるバンド部４２−１および４２−２に固定することができる。
【０１０４】
紐１６１の繰り出されている部分であって、ループ状とされている部分を、バンド本体１３１の他方の部分であって、２枚重ねに形成されている部分であるバンド部１４１の間に通し、紐１６１の繰り出されている部分であって、ループ状とされている部分の折り返されている端部を、バンド本体１３１の一方の部分であるバンド部１４２に摺動自在に止めることができる。
【０１０５】
バンド部４３−１および４３−２を、バンド本体３１の端部側に設けることができる。
【０１０６】
以上のように、腕時計バンド１１または腕時計バンド１１１によれば、使用者の腕に装着したまま、より単純な操作で、より簡単に、より短時間に、使用者の腕の動きに合うように、長さを調整できるようになる。
【０１０７】
また、本発明の実施の形態は、上述した実施の形態に限定されるものではなく、本発明の要旨を逸脱しない範囲において種々の変更が可能である。
【符号の説明】
【０１０８】
１１  腕時計バンド，  １２  時計本体，  ３１  バンド本体，  ３２  長さ調整維持部，  ４１，４２−１および４２−２並びに４３−１および４３−２  バンド部，  ５１−１および５１−２  伸縮部，  ５２−１および５２−２  孔，  ５３−１および５３−２  かん穴，  ６１−１および６１−２  紐，  ６２−１および６２−２  固定具，  ７１  ばね棒，  １１１  腕時計バンド，  １３１  バンド本体，  １３２  長さ調整維持部，  １４１，１４２並びに１４３−１および１４３−２  バンド部，  １５１  伸縮部，  １５２−１および１５２−２  孔，  １５３−１および１５３−２  かん穴，  １６１  紐，  １６２  ガイド，  ２０１  ベース，  ２０２  ダイヤル，  ２０３  ストッパー，  ２０４  スプール
【図１】
2020110394.tif 000003
【図２】
2020110394.tif 000004
【図３】
2020110394.tif 000005
【図４】
2020110394.tif 000006
【図５】
2020110394.tif 000007
【図６】
2020110394.tif 000008
【図７】
2020110394.tif 000009
【図８】
2020110394.tif 000010
【図９】
2020110394.tif 000011
【図１０】
2020110394.tif 000012
【図１１】
2020110394.tif 000013